(57)【要約】  自動車内に取付けるための電子機器１５、例えば娯楽機器、通信機器、データ処理機器あるいは情報機器あるいはそのようなもののための機器ホルダ６は、機器ホルダ６が、上側開口部を有する小物入れ２の一部であり、機器ホルダ６が、小物入れ２に対して、機器ホルダ６が小物入れ２内に収容されている非使用状態と、機器ホルダ６が小物入れ２から外側へ旋回可能である使用状態の間で旋回可能であり、小物入れ２には開口部を閉鎖するためのシャッター４が設けられており、  シャッター４が、開口部を完全に閉鎖している閉鎖状態以外は、小物入れ２から外側へ旋回した機器ホルダ６において、残りの開口部が少なくとも十分閉鎖している、別の閉鎖状態にもたらすことができる構成になっている
2009527409.tif 000002
【特許請求の範囲】
【請求項１】
電子機器、例えば娯楽機器、通信機器、データ処理機器あるいは情報機器あるいはそのようなもののための、自動車内に取付けるための機器ホルダにおいて、
機器ホルダ（６，２９，３３）が、上側開口部を有する小物入れ（２，２８，３２）の一部であり、
機器ホルダ（６，２９，３３）が、小物入れ（２，２８，３２）に対して、機器ホルダ（６，２９，３３）が小物入れ（２，２８，３２）内に収容されている非使用状態と、機器ホルダ（６，２９，３３）が小物入れ（２，２８，３２）から外側へ旋回可能である使用状態の間で旋回可能であり、小物入れ（２，２８，３２）には開口部を閉鎖するためのシャッター（４，３０，３４）が設けられており、
シャッター（４，３０，３４）が、開口部を完全に閉鎖している閉鎖状態以外は、小物入れ（２，２８，３２）から外側へ旋回した機器ホルダ（６，２９，３３）において、残りの開口部が少なくとも十分閉鎖している、別の閉鎖状態にもたらすことができる構成になっていることを特徴とする機器ホルダ。
【請求項２】
機器ホルダの幅が小物入れの幅よりも小さく、機器ホルダが小物入れの両方の側面境界部に対して間隔をおいて設けられていること、および
シャッターが二つのシャッター突起部により捕捉された開口部を有しており、この開口部を通って機器ホルダが外側へ旋回した位置で係合していることを特徴とする請求項１記載の機器ホルダ。
【請求項３】
機器ホルダ（６，２９，３３）の幅が小物入れ（２，２８，３２）の幅よりも小さく、機器ホルダ（６，２９，３３）が小物入れ（２，２８，３２）の両方の側面境界部に対して間隔をおいて設けられていること、および
機器ホルダ（６，２９，３３）が機器ホルダの一部として二つのシャッター要素（１６，１７；３１）を有しており、このシャッター要素により、小物入れ（２，２８，３２）から外側へ旋回した機器ホルダ（６，２９，３３）の位置で、機器ホルダ（６，２９，３３）と小物入れ（２，２８，３２）の側面境界部（８）の間にある開口部の領域が閉鎖していることを特徴とする請求項１記載の機器ホルダ。
【請求項４】
機器ホルダ（６，２９，３３）が、外側へ旋回した使用位置から小物入れ内に収容された非使用位置に戻り部材の力に抗して移動可能であることを特徴とする請求項請求項１〜３のいずれか一つに記載の機器ホルダ。
【請求項５】
機器ホルダ（６，２９，３３）が、非使用位置においてロックされた状態で保持されており、シャッター（４，３０，３４）が小物入れ（２，２８，３２）の開口部を十分開放すると、ロック部が解除されていることを特徴とする請求項１〜４のいずれか一つに記載の機器ホルダ。
【請求項６】
、シャッター（４，３０，３４）が、互いに関節的に連結している、および／または開放あるいは閉鎖方向で摺動あるいは調節可能な、複数の個別のシャッター要素から構成されていることを特徴とする請求項１〜５のいずれか一つに記載の機器ホルダ。
【請求項７】
機器ホルダ（６，２９，３３）が、二つの側面（１２，１２’）により側方で囲まれた、娯楽機器、通信機器あるいは情報機器を収容するための収容部（１１）を備えており、その際、側面（１２，１２’）には収容部内に嵌め込まれた機器（１５）を固定するための要素が設けられていることを特徴とする請求項１〜６のいずれか一つに記載の機器ホルダ。
【請求項８】
機器ホルダが旋回軸に対して横方向に延びる回転軸を中心にして、限られた角度の値分だけ回転可能であることを特徴とする請求項１〜７のいずれか一つに記載の機器ホルダ。
【請求項９】
機器ホルダが開放した、ひさし部を備えており、その内側および外側への開閉運動が機器ホルダの外側及び内側への旋回運動と作用結合していることを特徴とする請求項１〜８のいずれか一つに記載の機器ホルダ。
【請求項１０】
機器ホルダ（６，２９，３３）が、複数のコネクタ接続部要素（１３，１４）として設計された、一つ以上の電気又は電子式機器（１５）を電圧供給網および／または自動車の情報および／または通信システムに接続するためのインターフェースを備えていることを特徴とする請求項１〜９のいずれか一つに記載の機器ホルダ。
【発明の詳細な説明】
【技術分野】
【０００１】
本発明は、電子機器、例えば娯楽機器、通信機器、データ処理機器あるいは情報機器用の自動車内に取付けるための機器ホルダに関する。
【背景技術】
【０００２】
自動車内において、製造者側で不動に取付けられた機器のための代替え案としての移動電子機器が使用される。これらの機器とは、例えば携帯電話、ナビゲーションシステム、娯楽用機器、データ処理機器あるいはその類のものである。利用者にとって、移動機器を使用すると、利用者が同一の機器、例えば携帯電話あるいはナビゲーションシステムを車内だけでなく車外でも使用できるという長所がある。さらに移動機器により、自動車の生産サイクルあるいは耐用年数に比べて、このような移動電子機器の、生産サイクルあるいは耐用年数が典型的に極めて短いことに基づいて、もはや今日的ではないあるいはもはや所望されていない移動式の従来技術が、対応する機器をこのために車内での手間のかかる仕上げや組立作業を必要とすることなく、新たでかつ今日的な機器で埋め合わせることができるという長所が得られる。自動車の中でこのような電子機器を使用するために、様々な機器ホルダが提供される。吸引脚部を用いて、ウィンドシールドの内側に固定されている機器が広く普及している。機器を組込むために収容部を備えた実際の機器ホルダは、吸引脚部と一般的にいわゆるＳ字管状部を介して接続している。機器ホルダによる機器と車の間のこの機械式接続のほかに、機器はケーブル接続により、自動車の電圧供給網および／または他の設備に接続しており、携帯電話の場合には、例えば車内に取り付けられたハンズフリーテレホンに接続している。他の機器は車内に通じている吹き出し口の内側で爪係止されるように考案されている。この機器ホルダの場合に短所なのは、機器ホルダあるいは機器ホルダ内に嵌め込まれた機器により、通風口がよく塞がれていることである。これらの機器ホルダの場合も、接続ケーブルは露出している。
【０００３】
この予め公知の機器ホルダが機器ホルダに与えられた機能、すなわち移動電子機器の保持機能を満たすことができる場合にも、公知の機器ホルダは誰にとっても認識可能なように高性能化された付属部品であり、通常、車内、特にダッシュボードのデザインには合わないということが時々マイナスになると感じる。時々ではあるが、ケーブルガイドによっても機器から自動車側の接続箇所までに煩わしさがもたらされる。場合によっては、このケーブルを機器ホルダおよび／またはダッシュボードに別途固定しなければならない。
【０００４】
車が停まっている場合に、機器ホルダ内に保持された電子機器に関する第三者の欲望が生じないように、この機器はたいていの場合、その都度機器ホルダと一緒に取外され、詰め込まれるかあるいは車を離れる際には帯行される。車を離れる際の電子機器の取外しだけは、十分な侵入妨害とはみなされないことがよくある。というのも外側から認識できるようにこのような機器が車内に取付けられていると、機器ホルダによって保持されている機器が機器ホルダから取出されるだけであり、かつ依然として車、例えば小物入れの中にあるとみなされることが多いからである。
【発明の開示】
【発明が解決しようとする課題】
【０００５】
このように検討した従来技術に基づいて、本発明の根底をなす課題は、予め検討した従来技術に関して指摘した短所が回避されている、電子機器を収容するための車両用機器ホルダを提供することにある。
【課題を解決するための手段】
【０００６】
この課題は、本発明によれば、機器ホルダが、上側開口部を有する小物入れの一部であり、機器ホルダが、小物入れに対して、機器ホルダが小物入れ内に収容されている非使用位置と、機器ホルダが小物入れから外側へ旋回した使用位置の間で旋回可能であり、小物入れには開口部を閉鎖するためのシャッターが設けられており、シャッターが開口部を完全に閉鎖している閉鎖状態以外は、小物入れから外側へ旋回した機器ホルダにおいて、残りの開口部が少なくとも十分に閉鎖している、別の閉鎖状態にもたらすことができる構成になっている、冒頭で述べた本発明に類するような機器ホルダにより解決される。
【０００７】
こん機器ホルダはコンソールの様式に従って構想を練られている小物入れの一部である。小物入れは自動車製造の際すでに車内に組込まれているか、あるいは後から組込まれる。後者の場合、このために設けられた収容部は、自動車の内装部内にすでに設けられており、かつブラインドシャッターによりシャッターをされている。好ましい実施例によれば、小物入れはダッシュボードの上側にある。この小物入れ内に機器ホルダは固定されており、かつ小物入れに対して旋回可能である。機器ホルダは、小物入れの内側に収容された非使用位置から旋回可能であり、かつこの非使用状態に対して小物入れから旋回した使用位置から旋回可能である。機器ホルダを収容するための小物入れは、機器ホルダを、好ましくは機器ホルダにより保持された電子機器と一緒に内側へ旋回した非使用位置に収容できるように採寸されている。小物入れは上側開口部を閉鎖するためのシャッターを有している。機器ホルダあるいは機器ホルダにより保持された電子機器が内側に旋回した非使用位置にあると、シャッターにより小物入れ開口部は完全に閉鎖可能である。小物入れが閉鎖していると、この小物入れが単にコンソールかあるいは一体化された機器ホルダを備えたコンソールであるかどうかは外部からはわからない。この第一の閉鎖位置以外に、シャッターは別の閉鎖位置にもたらすことができる。この別の閉鎖位置は、機器ホルダが小物入れから旋回した、機器ホルダにより保持された電子機器のための使用位置にあると、小物入れ開口部を閉鎖するのに役立つ。この別の閉鎖位置において、外側へ旋回した機器ホルダ以外に残っている小物入れの開口部はシャッターにより少なくとも十分に閉鎖されている。さらに、場合によっては小物入れ内にある他の対象物は全て、小物入れ内に残ったままである。
【０００８】
機器ホルダはそれ自体、実用的には例えば、機器ホルダ内に嵌め込まれた電子機器を、電源供給部および／または他のシステムあるいは回路網に接続するための、コンセントとして形成された複数の電気／電子式接続部を備えている。小物入れは車内に取付けられているので、接続ケーブルはユーザーにとって、例えばダッシュボードのパネルの下方の小物入れからは見えない。
【０００９】
機器ホルダを収容するための小物入れは、その幅に関しては機器ホルダの幅よりも大きく設計されている。さらに小物入れは、電子機器を収容するためだけに使用されるのではなく、それに加えて例えば眼鏡、鍵あるいはそのようなもののためのコンソールとしても
使用することができる。このような実施形態は、機器ホルダが外側に旋回する際小物入れの残っている開口部を閉鎖しようとする。第一の実施例によれば、この目的のために、シャッターは開口部を囲む二つのシャッター突起部（Verschlussfortsatz）を有している。シャッター突起部は、側面で小物入れから外側へ旋回した機器ホルダを囲み、かつ密閉状態で機器ホルダと小物入れの境界部の間にある開口部の領域を覆い隠す。小物入れ開口部のこの領域を閉鎖するために、機器ホルダにはそれ自体閉鎖部材が設けられており、この閉鎖部材は機器ホルダが外側に旋回した状態で、機器ホルダと小物入れの境界部の間に延在している小物入れ開口部を覆い隠す。本来の小物入れシャッターは、残った小物入れ開口部を閉鎖するために、機器ホルダの裏側とこの閉鎖部材の後方の閉鎖部に近づけられる。
【００１０】
機器ホルダは好ましい実施形態によれば、復帰部材の力に抗して、小物入れから外側へ旋回した位置から、小物入れ内にある非使用位置に移動可能である。機器ホルダがこの中に場合によっては収容される機器と協働して外側へ旋回することは、復帰部材内に貯えられた力によって行われる。非使用位置において、機器ホルダは実用的にはロックされた状態で保持されている。機器ホルダを外側へ旋回させるために、このようなロックは、機器ホルダあるいは機器ホルダにより保持された機器を手動で操作することにより、例えば機器を下方へ押下げることにより解除することができ、従って聞きホルダはその後実用的には自動的に使用位置に外側へ旋回する。シャッターが開放位置にあり、従って小物入れ開口部が完全に開いている場合、非使用位置から使用位置への機器ホルダの外側への旋回が可能であるように、ロックはシャッターにより作用結合している。同様に、機器ホルダの外側への旋回運動をシャッターの開放運動に結合することが可能である。このような実施形態の場合、シャッターの運動により、ロックは解除され、従って機器ホルダは復帰部材の力により開放した小物入れから自動的に外側へ旋回する。
【００１１】
小物入れのシャッターは様々に設計されている。小物入れシャッターを、フラップ、スライドフラップあるいはスライドシャッターとして設計することが可能である。さらに、シャッターは互いに間接的に連結した複数の個別のシャッター要素から構成することもできる。このようなシャッターは、ブラインドの様式に従い設計されたシャッターである。他の実施形態によれば、シャッターは相対して摺動可能で、かつフィン状の個別のシャッター要素から成り、このシャッター要素は小物入れを開放するために、かつ小物入れを調節するために、その両方の異なるシャッターの位置に相対して、例えば望遠鏡式に摺動可能である。
【００１２】
機器ホルダは、その外側へ旋回した位置にあると、旋回軸線に対して横方向に延びる回転軸を中心にして、限られた角度の値分だけ回転可能である。これにより、機器ホルダにより保持された電子機器の表示部を運転者の方向に、あるいは自動車の同乗者の方向にも回転させることができる。原則として、機器ホルダと、それと共に電子機器の表示部が運転者に向かって回転するように、小物入れに収容されたその非使用位置から外側へ旋回した使用位置への機器ホルダの移動部は移動構成部品と連結している。
【００１３】
このような機器ホルダにより担持された電子機器の大部分は、限られた輝度しか有していないＬＣＤ表示部を使用できる。従って、機器ホルダには、機器ホルダにより担持された機器、特に表示部を暗くするひさし部が設けられていると役に立つ。このようなひさし部が手で取り付け可能に設計されていない場合のために、ひさし部をパタンと開閉可能に構成し、それもその内側および外側への開閉運動が機器ホルダの外側及び内側への旋回運動と作用結合している様態で構成することがなされている。従って、ひさし部は機器ホルダが外側へ旋回している場合、所望の暗くされた位置にある。
【発明を実施するための最良の形態】
【００１４】
以下に本発明を、添付した図に関連した実施例を基に説明する。
【実施例】
【００１５】
自動車のダッシュボード１の上側にはコンソールとして考案された物いれ２が取付けられている。小物入れ２はダッシュボード１の曲げられた形状の上縁部を含んで相前後している。小物入れ２は枠３によって囲まれている。小物入れ２にはシャッター４が所属しており、このシャッターは図示した実施例ではブラインドシャッターである。ブラインドシャッター４の個々の要素は、互いにヒンジで接続しており、かつ詳細には図示していない態様でもって側方のガイドレールに案内されている。取っ手の縁５はシャッター４の前方要素の一つから突出している。小物入れ２を開けるために、シャッター４は図１の矢印によって示したようにフロントガラスの方向に向かって動かされる。ブラインドシャッター４はこのように動かす際に、小物入れ２の奥あるいは下方の停滞領域内へスライドされる。ブラインドシャッター４を案内するガイドレールは相応して曲げられている。
【００１６】
図２はブラインドシャッター４が開いた位置にもたらされている、開いた小物入れ２を示している。小物入れ２内には機器ホルダ６が設けられており、この場合、機器ホルダ６は図２に示した位置では小物入れ２に収容された非使用位置にある。機器ホルダ６は枠縁７を用いて小物入れ２の両側壁８に枢着されている。さらにダッシュボード１に取付けられた小物入れ２は、コンソールとしても役立っており、図示した実施例の場合、小物入れは機器ホルダ６の他に携帯電話器１０を嵌め込むための収容部９を備えている。
【００１７】
機器ホルダ６は図３においては外側に旋回した位置で示してある。この位置で、枠縁７の前面は小物入れ２の前壁の内側に当接している。機器ホルダ６の外側への旋回運動は、図示していないアクチュエータの力で行われる。機器ホルダ６を外側へ旋回させるのに必要とされるエネルギーは、機器ホルダを非使用位置に内側へ旋回させる際、アクチュエータに蓄積される。例えばこの様なアクチュエータとはガスショックアブソーバであってもよい。
【００１８】
機器ホルダ６は、二つの側面１２，１２’を介して小物入れ２の幅方向で区画されている収容部１１を有している。機器ホルダ６の側面１２，１２’は、機器ホルダの中で電子機器を保持しかつ固定するために考案されている。この保持兼固定手段は図示した実施例には示していない。機器ホルダ６の収容部１１の下側縁部の領域内には、電気的コネクタ接続部１３，１４が設けられている。このコネクタ接続部１３，１４は、機器ホルダ６の収容部１１内に嵌め込まれる電子機器を接触させるのに使用される。コネクタ接続部１３は例えば電子機器に電力を供給するのに使用され、コネクタ接続部１４は電子機器を自動車の車内情報網に接続するのに使用される。
【００１９】
機器ホルダ６内に取付けるための電子機器としては、図示した実施例の場合、図４では機器ホルダ６の収容部１１内に嵌め込まれている携帯ナビゲーション機器１５が役立つ。コネクタ接続部１３，１４により、携帯ナビゲーション機器１５は自動車の電源供給部と同様にデータバスにも接続されている。これに関して携帯ナビゲーション機器１５は自動車データ、例えば自動車の実際の速度データを受け取る。
【００２０】
小物入れ２の両側壁８を指向している機器ホルダ６の側面１２，１２’の外側には、枠縁７の一部としてシャッター部材１６，１７が形成されており、このシャッター部材の上側のデザインはブラインドシャッターのデザインを模造している。シャッター要素１６，１７により、小物入れ２の開口部の同じ領域が接続しており、この領域は本来の機器ホルダ６と小物入れ２の側壁８の間に延在している。機器ホルダ６はその外側へ旋回した位置において、例えば係止部として形成されているロック機構により固定されている。走行方向に指向している小物入れ２の奥行きは、小物入れ２内に機器ホルダ６が、機器ホルダにより保持される携帯ナビゲーション機器１５と一緒に旋回できるように十分採寸されている。
【００２１】
ブラインドシャッター４が、図１に示してあり、かつ小物入れ２を完全に閉鎖している位置以外に、図５に示したような閉鎖位置にもたらされるようにブラインドシャッターは考案されている。この別の閉鎖位置は、ブラインドシャッター４がその前側でもって機器ホルダ６の後方縁部並びに両シャッター要素１６，１７に突き当たり、この位置で固定されていることを特徴とする。機器ホルダ６が小物入れ２から外へ旋回した使用位置にあるが、小物入れ２は図５から明らかなように完全に閉じている。携帯ナビゲーション機器１５の取扱いはこれ以外にも可能である。特に携帯ナビゲーション機器は、小物入れが提案した配設である場合、運転者の直接の視野内にあるダッシュボードの上側にある。多くの道路に関して視線をそらす必要なく、運転者は携帯ナビゲーション機器１５の映像表示部１８を観ることができる。
【００２２】
自動車を停車して、携帯ナビゲーション機器１５が外側から見えなくなると、小物入れ２のブラインドシャッター４は開き、機器ホルダ６が図２に示した位置に来るまで機器ホルダは携帯ナビゲーション機器１５と一緒に小物入れ２内に旋回する。その後、小物入れ２はブラインドシャッター４を前方へ引き出すことにより閉鎖される。外側から見ると、閉鎖された小物入れ２は従来のコンソールである印象を呼び覚ます。
【００２３】
小物入れ２から外側へ旋回し、保持された携帯ナビゲーション機器１５を備えた機器ホルダ６は、拡大した描写で図６ａ，６ｂに示してある。図６ａには斜視図と小物入れ２の内部１９を除いた図が示してある。枠縁７の旋回可能な支承部の構造は、この目的で支承ピン２０を支持する側壁８において認識できる。支承ピン２０は側壁８の支承孔２１内で係合する。この図から、シャッター部材１６，１７は枠縁７の部分であることもわかる。ブラインドシャッター４は、小物入れ２の残りの開口部を閉じている位置にあり、かつシャッター部材１６，１７の裏側の閉鎖部、ならびに機器ホルダ６まで近づいている。この位置で、ブラインドシャッター４はロックされている。
【００２４】
機器ホルダ６の図６ａの配設は、図６ｂでは概略的な横断面図で示してある。この図において、機器ホルダ６の支持配設部はブラインドシャッター４の第一要素２２に沿ってはっきりと見える。さらにこの図では、小物入れ２の右側壁に所属しているブラインドシャッター４の案内部２３もはっきりと見える。案内部２３はブラインドシャッター４の下方にある案内条片を自由に使用でき、その上側には、ブラインドシャッター４が載っている。小物入れ２から回して取外される機器ホルダ６の姿勢（位置）において、機器ホルダはその裏面でもってブラインドシャッター４の第一要素２２の前側縁部で支持されている。図５，６ａ及び６ｂに示したこの姿勢でブラインドシャッター４を固定した結果、案内条片２４は第一ブラインド要素２２にわたって支持している機器ホルダ６のための支持部を形成している。機器ホルダ６に対してブラインドシャッター４の前側端部の平面が直角に設けられている結果、この場合、図示した実施例においてこれらの両要素間で約４５°の角度が形成されているが、ブラインドシャッター４のロックは、機器ホルダ６により及ぼされ、かつブラインドシャッター４の開口部に生じる力の一部に耐えることが必要である。ブラインドシャッター４あるいは案内条片２４により捕捉されるこの力は、その中に収容された携帯ナビゲーション機器１５を備えた機器ホルダ６の重量から生じる。しかしながら、これは携帯ナビゲーション機器１５がボタン操作により操作される場合に顕著になる。
【００２５】
図６ｃにおいて、符号２６により支持条片が示してあり、この支持条片は別の実施例によれば、機器ホルダ６の裏側に形成される。支持条片２６は、第一ブラインド要素２２に図６で示したブラインドシャッター４の閉じた位置で干渉する。第一ブラインド要素２２内への導入は、案内条片２４を縦方向に延ばすためにほぼ直角に行われる。このような構成の場合、ブラインドシャッター４は、小物入れ２の残った開口部を閉鎖する位置で図６に示したように付加的なロック部を全く必要としないのが原則的である。第一ブラインド要素２２に沿ってその前面が裏面で延びている条片２７が形成されていて、この条片が、シャッター要素１６，１７を備えた条片７の下側で、図６ｂで示したブラインドシャッター４のロック位置で係合している。この支持機構は、図６ｂに比べて拡大した図６ｄの描写で表現されている。
【００２６】
図７ａ〜７ｄは、別の実施形態において、小物入れ２８内に設けられ、小物入れから外側および内側へ旋回可能な機器ホルダ２９を示している。小物入れ２８はその機器ホルダ２９により、機器ホルダ６を備えた小物入れ２と原則的に同じように構成されている。図７ａ〜７ｄに示した実施例の場合、シャッター３０が異なっている。このシャッター３０は、薄板シャッターであり、閉じた小物入れを開放するためのその個々の薄板（図７ａ参照）は、シャッター３０を開いた状態で示している図７ｂにおいて見分けがつくように、互いの中へパタンと畳むことができる。機器ホルダ２９に側面で形成されているシャッター要素３１は、図示した実施例においては、シャッター３０の移動方向での長さを有しており、この長さはシャッター３０の個々の薄板の二つの長さにほぼ相当する。図７ｃは、小物入れ２８の残りの開口部を閉鎖する、機器ホルダ２９が外側へ旋回している他の位置におけるシャッター３０を示している。この図から、二つの個々の薄板が小物入れ２８の後壁にある積込み位置に残ったままであり、かつ残りの開口部を閉鎖するには必要とされないことが認められる。図７ｄには、図解による側面図において、シャッター３０により閉鎖された、機器ホルダ２９が外側へ旋回している小物入れ２８が示してある。
【００２７】
図８ａ〜８ｄには、さらになお別の実施形態において、小物入れ３２内に保持された外側および内側へ旋回可能な機器ホルダ３３が示してある。図８ａ〜８ｄに示した実施例は図７ａ〜７ｄの実施例に相当しており、その相違点は、小物入れ２を開放するためのシャッター３４個々の薄板が互いの中に押込み可能であることである。
【００２８】
図７ａ〜７ｄならびに８ａ〜８ｄに示した実施例における外側へ旋回可能な機器ホルダの力の導入を改善するために、図１〜６に示したような支持機構が設けられている。
【００２９】
図示した機器ホルダは、小物入れから何の問題も無く取付け取外しができる。これにより、このような小物入れにおいて異なる機器ホルダを使用することができる。従ってその都度小物入れの中に機器に合う機器ホルダを嵌めこむことができる。機器ホルダの使用を容易にするために、側壁に嵌まり込む軸受ピンは、移動傾斜部（Stellschragen）を備えている。
【００３０】
さらに、図示した実施例に機器ホルダ側のコネクタの電気的配線の延び具合は示していない。コネクタは実施例によれば外装の内側に保持され、かつ軸受ピンの軸方向の孔を通って小物入れから外部へ案内される。
【００３１】
なお別の形態において、このような小物入れは、互いから独立して内側および外側へ旋回可能に支承されている、二つ以上の機器ホルダを有している。
【図面の簡単な説明】
【００３２】
【図１】ダッシュボードの上側に取付けられ、かつその中に一体化された機器ホルダを備えた小物入れの概略斜視図である。
【図２】小物入れが開いた状態の図１を示した図である。
【図３】小物入れが開いていてかつ機器ホルダが小物入れから外側へ旋回した状態の図２を示した図である。
【図４】電子機器が外側へ旋回した機器ホルダ内に挿入された状態の図３の小物入れを示した図である。
【図５】小物入れの開口部が閉じている図４の機器ホルダが外側へ旋回した状態の小物入れを示した図である。
【図６ａ】機器ホルダが外側へ旋回した状態の小物入れを拡大した図である。
【図６ｂ】機器ホルダが外側へ旋回した状態の小物入れを拡大した図である。
【図６ｃ】機器ホルダが外側へ旋回した状態の小物入れを拡大した図である。
【図６ｄ】機器ホルダが外側へ旋回した状態の小物入れを拡大した図である。
【図７ａ】別の実施例による、機器が中に一体化された状態の、ダッシュボードの上側に取付けられた小物入れの概略図である。
【図７ｂ】別の実施例による、機器が中に一体化された状態の、ダッシュボードの上側に取付けられた小物入れの概略図である。
【図７ｃ】別の実施例による、機器が中に一体化された状態の、ダッシュボードの上側に取付けられた小物入れの概略図である。
【図７ｄ】別の実施例による、機器が中に一体化された状態の、ダッシュボードの上側に取付けられた小物入れの概略図である。
【図８ａ】また別の実施例による、機器が中に一体化された状態の、ダッシュボードの上側に取付けられた小物入れの概略図である。
【図８ｂ】また別の実施例による、機器が中に一体化された状態の、ダッシュボードの上側に取付けられた小物入れの概略図である。
【図８ｃ】また別の実施例による、機器が中に一体化された状態の、ダッシュボードの上側に取付けられた小物入れの概略図である。
【図８ｄ】また別の実施例による、機器が中に一体化された状態の、ダッシュボードの上側に取付けられた小物入れの概略図である。
【符号の説明】
【００３３】
１      ダッシュボード
２      小物入れ
３      枠
４      シャッター
５      取っ手の縁
６      機器ホルダ
７      枠縁
８      側壁
９      収容部
１０    携帯電話器
１１    収容部
１２    側面
１２’  側面
１３    コネクタ接続部
１４    コネクタ接続部
１５    携帯ナビゲーション機器
１６    シャッター部材
１７    シャッター部材
１８    表示部
１９    内部
２０    支承ピン
２１    支承孔
２２    シャッターの第一要素
２３    案内部
２４    案内条片
２５    縁部
２６    支持条片
２７    条片
２８    小物入れ
２９    機器ホルダ
３０    シャッター
３１    シャッター要素
３２    小物入れ
３３    機器ホルダ
３４    シャッター
【図１】
2009527409.tif 000003
【図２】
2009527409.tif 000004
【図３】
2009527409.tif 000005
【図４】
2009527409.tif 000006
【図５】
2009527409.tif 000007
【図６ａ】
2009527409.tif 000008
【図６ｂ】
2009527409.tif 000009
【図６ｃ】
2009527409.tif 000010
【図６ｄ】
2009527409.tif 000011
【図７ａ】
2009527409.tif 000012
【図７ｂ】
2009527409.tif 000013
【図７ｃ】
2009527409.tif 000014
【図７ｄ】
2009527409.tif 000015
【図８ａ】
2009527409.tif 000016
【図８ｂ】
2009527409.tif 000017
【図８ｃ】
2009527409.tif 000018
【図８ｄ】
2009527409.tif 000019
【国際調査報告】
2009527409.tif 000020
2009527409.tif 000021
2009527409.tif 000022
2009527409.tif 000023
2009527409.tif 000024
2009527409.tif 000025